(57)【要約】      （修正有）【課題】モザイク写真の各画素の色を数字等で変換した設計図を基にしながら作製する作品完成後も微妙な補正乃至大幅な変更が可能である、現作品を崩して別作品を作製したい場合も前者の画素材を後者の画素材として適用してリサイクル化を図り、家庭乃至産業廃棄物も画素材として有効利用したモザイクアート工作画を提供する。【解決手段】画素材として複数の６面異色立方型部材１を用意し、６面異色立方型部材１の１つの面を画素として、複数の６面異色立方型部材１を脱着自在に配置することにより作品を完成させるモザイクアート工作画の製作法。【選択図】図１
2011183810.tif 000002
【特許請求の範囲】
【請求項１】
画素材として複数の６面異色立方型部材を用意し、６面異色立方型部材の１つの面を画素として、複数の６面異色立方型部材を脱着自在に配置することにより作品を完成させるモザイクアート工作画の製作法。
【発明の詳細な説明】
【技術分野】
【０００１】
本発明は風景,静止物（建物,彫刻,置物等）,生物や人物写真およびこれらの絵画の写真等のモザイク写真を基にして着脱自在である画素材を用いて、これを表現するモザイクアート工作画に関するものである。
【背景技術】
【０００２】
一般にモザイク写真はパソコンソフトを利用してデジタル写真やアナログ写真をコンピュータに取り込み、専用ソフトを用いて写真の画素数（ピクセル数）や色数を低減して得られる。モザイク写真のサイズ＝画素のサイズ×画素数で、一般的にサイズの大きいモザイク写真程、画素のサイズ乃至画素数は増加していくが画素のサイズを一定とすればより多くの画素が必要となる、画素数を一定とすれば画素のサイズは大きくなる。画素のサイズは小さく画素数が多い程、また一般に画素の色数が多い程モザイク写真の解像度は増していく。このことはモザイクアート工作画にも当てはまる。本発明では肉眼で至近距離（３０ｃｍ前後）から通常認識できる画素サイズを１ミリ角以上とし、その面積を持つ画素で表現された写真やアート工作画をそれぞれモザイク写真やモザイクアート工作画と称すことにする。
【０００３】
前記モザイク写真を構成する各画素の色を赤,青,黄の色名で表示した設計図を基に、各画素の色名と同じ色の色紙を手作業でのり付けしながら作製していく色紙使用モザイクアート工作画がある。この工作画は学園祭やクラブの図画工作等で見られたりする。色紙の色数は５０色程あり、通常の色紙使用モザイクアート工作画では色紙のサイズは１０ミリ角から２０ミリ角で使用数は５００個から１０００個程である。
【０００４】
また前記設計図を基にモザイクタイルで作製していくモザイクタイル使用モザイクアート工作画もある。モザイクタイルの色は１００色以上あり、サイズも正方形では９．５ミリ角,厚さ４ミリが最小であるが、一般には価格がより安価な１０．５ミリ角,厚さ４．５ミリのモザイクタイルが使用される。大きなタイルでは１０センチ角サイズもある。水族館の壁をモザイクタイルアートで覆い尽くす工作画もあれば一般家屋の壁に作製した工作画等がある。後者のモザイクタイルの使用数は５０００個から１５０００個程である。
【０００５】
またマグネットシートと呼ばれるゴム性磁石板がある。厚さ０．３〜０．８ミリ程でいろいろな大きさにカットでき磁石の利点を生かして着脱可能な商品が製品化されている。使用例では表面に文字やデザインを印刷できるため、店のウィンドウや車等に社名を貼ってアピールしたり、赤，青，黄などカラフルな色の付いた円，三角形,四角形等の形状をしたシートを５０個から１００程使用して磁性ボード上に吸着させて車,家,動物，模様等に形作って遊ぶ２次元版積み木なる子供用玩具等がある。
【０００６】
また絵や写真等を一般的にはモザイク化しないで使用する、ジグゾーパズルという玩具がある。このパズル画なる工作画は１枚の絵や写真を画素材であるピースと呼ばれる幾つかの小片に分割しバラバラにしたものを色や模様を手がかりに再構成させる玩具である。ピースの数は３００個から３０００個が普通である。各ピースの周辺には円状の凸部や凹部があり、これにより隣接するピースとかみ合うようになっている。
【発明の開示】
【発明が解決しようとする課題】
【０００７】
ところが前記モザイクアート工作画の画素を構成している色紙乃至モザイクタイルの画素材は作品完成後は接着剤等で下地パネル等に固定されており取り外すことはできない。これらの画素材は作品完成後、作品に微妙な補正乃至色彩等の大幅な変更を加えたくても交換は不可能であり、また現作品を崩してそこで使用した画素材を別作品の画素材として適用することも不可能である。
【０００８】
また前記マグネットシートを使用した例においては確かに各ピースは着脱可能であるが前記設計図無しに何千何万画素もあるモザイクアート工作画を作製することは不可能であるし、マグネットシートの使用目的，発想が全く異なる。
【０００９】
また前記パズル画においても確かに各ピースは着脱可能であるが、各ピースの形状や模様の形は隣接するピースと相補の関係にある。さらに各ピースの周囲には凸部や凹部がある。このためこれらのピースにおいても補正乃至変更を加えるための交換や別作品のピースとしての適用は不可能である。
【００１０】
このように前記色紙使用モザイクアート工作画乃至モザイクタイル使用モザイクアート工作画においては工作画が完成すると画素材は所定の位置に固定され着脱不可能である。
また前記マグネットシート使用例ではモザイクアート工作画を作製することは不可能であるし、使用目的，発想も全く異なる。さらに前記パズル画においては画素材は工作画の所定の位置に配置して作品を完成させるものである。このためこれらの従来例では現作品の補正乃至変更は不可能であるし、また現作品を崩して別作品を作製したい場合等、現作品の画素材がリサイクルできず廃棄物となってしまう恐れがあった。
【００１１】
そこで本発明の目的はモザイク写真の各画素の色を数字等で変換した設計図を基にして着脱自在な画素材を使用することにより、作品の作製終了後も微妙な補正乃至大幅な変更が可能となるようにし、現作品を崩しても使用した画素材を別作品の画素材として適用することによりリサイクル化を図り、廃棄物となることを最小限に抑えたモザイクアート工作画を提供することにある。
【００１２】
一例として、前記設計図を参照しながら材質が磁性物質で６面の色全てが異なる６面異色立方体型部材１を使用し、額縁３のついた下地パネルとして材質が磁石である凹凸の無いフラットなＦ型パネル２上にこの部材を順次配列させていく作業途中図を図１に示す。
【課題を解決するための手段】
【００１３】
前記課題を解決するために本発明のモザイクアート工作画の作製法を以下に示す。
【００１４】
初めに本発明に関する主要な定義語を以下に示す。この定義語の一覧を図９（９−ａ）に示す。他定義語は実施例中で説明した。
【００１５】
画素材において、作品を表現する面を“作品面”と称し、下地パネル上の所定の位置に保持する箇所を“保持部”と称し、保持部以外の作品面を含む箇所を“作品部”と称すことにする。
【００１６】
画素材を構成する作品部乃至保持部は“磁石”（マグネットシートやフェライト磁石等）乃至“磁性物質”（鉄やＳＵＳ合金等それ自体は磁力を持たないが磁石に吸い付く物質）乃至“非磁性物質”（木材，紙，ゴム板、プラスチック，銅，アルミ等磁石に吸い付かない物質）のいずれかから成る“材質”とする。この３種類の材質を合わせて“Ｚａ分類型材質”と称すことにする。尚、大部分の物質は微小ながら磁石としての性質はあるため、前記磁石は強磁性体に属するものであり、日常的観点からみればマグネットシートやフェライト磁石程度以上の磁力のあるものを称す。また前記磁性物質も例えば銅粉末に鉄を半々に混ぜて固めたものは磁石に吸い付くため磁性物質と称すことにする。
【００１７】
画素材は作品部と保持部の機能性を主に分類した場合、以下の３種類が存在する。作品部の他に保持部があるもの，作品部が保持部の機能を兼ね備え保持部の無いもの，作品部のみで保持部の無いものである。それぞれ“ＳＨ画素材”，“Ｓｈ画素材”，“ＳＳ画素材”と称し、この３種類の画素材を合わせて“Ｇａ分類型画素材”と称すことにする。
【００１８】
画素材の作品部および保持部の機能性と材質を合わせて“素材”と称すことにし、画素材を素材で分類した場合、画素材は以下の７種類のいずれかの素材に属するものとする。Ｓｈ画素材に属し磁石からなる素材を“磁石素材”と称し、Ｓｈ画素材に属し磁性物質からなる素材を“磁性素材”と称し、ＳＳ画素材に属し非磁性物質からなる素材を“非磁性素材”と称し、Ｓｈ画素材に属し作品部に凹部を設けた非磁性物質からなる素材を“作品部非磁性凹部付素材”と称し、ＳＨ画素材に属し作品部が非磁性物質で保持部が非磁性物質からなる素材を“作品部非磁性保持部非磁性素材”と称し、ＳＨ画素材に属し作品部が非磁性物質で保持部が磁石からなる素材を“作品部非磁性保持部磁石素材”と称し、ＳＨ画素材に属し作品部が非磁性物質で保持部が磁性物質からなる素材を“作品部非磁性保持部磁性素材”と称しこの７種類の素材を合わせて“Ｓｏ分類型素材”と称すことにする。
【００１９】
尚、Ｇａ分類型画素材なる分類法はＳｏ分類型素材なる分類法の理解を補助する役目を担うものである。
【００２０】
尚、本発明では作品部非磁性保持部非磁性素材において保持部に凸部を設けた構造は、その断面形状から、“Ｏ型保持部”，“Ｉ型保持部”，“Ｘ型保持部”の３種類がある。
【００２１】
また画素材の作品部をその形状と作品面の色数から分類した場合、以下の３種類のいずれかの“部材”に属するものとする。作品面が９０度回転対称性を持ち、単色乃至平均色である正方形型部材を“作品面単色正方形型部材”と称し、作品面各６面が９０度回転対称性を持ち、単色乃至平均色であり、６面の色全てが同じである立方体型部材を“６面同色立方体型部材”と称し、図1において示した作品面各６面が９０度回転対称性を持ち、単色乃至平均色で６面の色全てが異なる立方体型部材を“６面異色立方体型部材”と称しこの３種類の部材を合わせて、“Ｂｕ分類型部材”と称すことにする。
【００２２】
尚、画素材の作品面は、そのままで自然色等特有の色が備わっている場合もあるが、作製したい作品の画素の使用色に応じて色付けをする。
【００２３】
作品を構成する各々の画素材を保持するために下地パネルの材質は前記Ｚａ分類型材質のいずれかから、画素材と反発力が生じない材質を選択する。尚、反発力が生じる画素材と下地パネルの組み合わせは磁石を使用している画素材と材質が磁石の下地パネルの組み合わせの一部で起こる。
【００２４】
画素材の形状に応じて、下地パネルは画素材を保持するために凹凸部の無いフラットなパネル，凹部のあるパネル，凸部のあるパネルの３種類のパネルのいずれかから選択し、それぞれ“Ｆ型パネル”，“Ｏ型パネル”，“Ｔ型パネル”と称し、“Ｏ型パネル”はさらに前記３種類の保持部をそれぞれはめ込むための、孔の開いたパネル，平行溝の付いたパネル，平行溝の他それと直交する方向にも溝が付いたパネルの３種類が存在し、それぞれ“ＯＯ型パネル”，“ＯＩ型パネル”，“ＯＸ型パネル”と称し、この５種類の下地パネルを合わせて、“Ｐａ分類型パネル”と称すことにする。
【００２５】
尚、下地パネルの材質が磁石乃至磁性物質の場合はＦ型パネルを使用する。また非磁性物質からなる下地パネルの場合、画素材の保持部の有無や保持部の形状に応じて、前記Ｐａ分類型パネルのいずれかから選択して使用する。その選択は画素材の前記Ｂｕ分類型部材よりも主として前記Ｓｏ分類型素材に応じて決められる。
【００２６】
前記定義語を基に課題を解決するための手段を以下に示す。画素材の作品面のサイズ（画素サイズ）は１ミリ角以上とし、画素材の色数は通常のカラー単色の他、白,灰,黒単色系統も１色とみなし、また画素材そのものが多色である場合その平均色を１色とみなし２色以上とする。画素数は作品のサイズ/画素サイズで決まる数である。画素材の作品部の部材を前記Ｂｕ分類型部材に属する３種類から選択し画素材の素材を前記Ｓｏ分類型素材に属する７種類から選択する。作品を構成する各々画素材は同部材，同素材とする。このとき下地パネルとして、画素材が磁石素材乃至作品部非磁性保持部磁石素材であればＦ型パネルで材質は磁性物質を主として使用し、磁性素材乃至作品部非磁性保持部磁性素材であればＦ型パネルで材質は磁石を主として使用し、非磁性素材乃至作品部非磁性凹部付素材乃至作品部非磁性保持部非磁性素材であれば下地パネルは非磁性物質を主として使用するが、このうち画素材が非磁性素材であればＦ型パネルを使用し作品完成後透明板等で画素材全体を覆ってこれを保持する、また作品部非磁性凹部付素材であればＴ型パネルを使用し、作品部非磁性保持部非磁性素材であれば、前記３種類の保持部の形状に応じてＯＯ型パネル，ＯＩ型パネル，ＯＸ型パネルのいずれかから選択し、画素材の凸部と下地パネルの凹部を互いにかみ合わせて使用する。以上を基に、画素材をＢｕ分類型部材とＳｏ分類型素材から選択し、それに応じて下地パネルの材質をＺａ分類型材質から、また形状をＰａ分類型パネルから選択し、同部材，同素材の画素材を前記画素サイズと前記色数で前記個数分用いて、モザイク写真の各画素の色を数字等で変換した設計図を基にして、下地パネル上に接着固定しないで配列させて作品を完成させるモザイクアート工作画を提供する。
【発明の効果】
【００２７】
本発明のモザイクアート工作画によれば、画素材の部材としてＢｕ分類型部材のうち作品面単色正方形型部材を使用した場合においては、下地パネルは画素材と反発力が生じない材質を使用すればよいが画素材との間に吸着力が生じる材質であれば自然と下地パネルに画素材は吸着される。ここで画素材の素材としてＳｏ分類型素材のうち磁石素材乃至作品部非磁性保持部磁石素材であれば下地パネルはＦ型パネルで材質は磁性物質を主として使用し、磁性素材または作品部非磁性保持部磁性素材であれば下地パネルはＦ型パネルで材質は磁石を主として使用すれば作品完成後も容易に画素材は下地パネルから着脱自在となる。また画素材の素材として非磁性素材乃至作品部非磁性凹部付素材乃至作品部非磁性保持部非磁性素材であれば吸着力が生じないため下地パネルの材質は非磁性物質でよい。ここで画素材として非磁性素材を使用する場合は作品完成後透明板等で画素材全体を覆って保持し、作品部非磁性凹部付素材を使用する場合はＴ型パネルを使用し、作品部非磁性保持部非磁性素材を使用する場合は、前記３種類の保持部の形状に応じて下地パネルをＯ型パネル３種類のいずれかから選択し、画素材の凸部と下地パネルの凹部を互いにかみ合わせることにより着脱自在な保持となる。作品を構成する各画素材は同形かつ作品面が９０度回転対称性を持つ正方形型であるから、隣接画素材間で隙間が生じることは無い（または最小限に抑えられる）ため作品の見栄えが増すし、配列させる際上下左右を気にしなくてもよい。このため作品完成後も作品の微妙な補正乃至色彩等の大幅な変更が容易に可能となる。さらに現作品を崩してそこで使用した画素材を別作品の画素材として適用することも可能となる。また画素材の部材として前記Ｓｏ分類型素材のいずれかで作製した６面同色立方体型部材を使用した場合も前記作品面単色正方形型部材と同等の効果が得られる。更に保持部の無い６面同色立方体型部材等においてはどの面でも作品面として使用できること、作品面単色正方形型部材の配列と違って表裏を気にしなくてもよいこと、掴みやすいため作業効率につながる等のメリットがある。また画素材の部材として前記Ｓｏ分類型素材のいずれかで作製した６面異色立方体型部材を使用した場合も前記作品面単色正方形型部材乃至６面同色立方体型部材と同等の効果が得られる。更なる効果として磁性素材乃至非磁性素材等の６面異色立方体型部材を用いて作品を完成させる場合、６個の作品面の色が全て異なるため1個で６色表現可能な画素材となる。つまり作品を構成する各々の画素の位置に各々画素材を任意の面を表にして配置し、次に各々画素材の位置は不変のまま回転させるだけで所定の面を画素の色として使用した最大６色から成るモザイクアート工作画が作製可能となる。現作品を崩して画素数と外形が同じ最大６色で表現した別作品を完成させる場合も各々画素材を回転させるだけでよく、別画素材の追加や交換を必要としない。またこの６色とは異なる別６色から成る６面異色立方体型部材も使用すれば、部材位置不変のまま回転するだけの機能は配置された部材によっては無くなるが作品の画素の色数が増加し作品の解像度が向上する。別６色の６面異色立方体型部材をｎ種類使用すれば作品を��現する色数は６ｎ種類で格段に増加していく。６ｎ種類の色数で現作品と同形同画素数の別作品を作製する場合、追加画素数の数は作品面単色正方形型部材乃至６面同色立方体型部材よりも格段に減少する。またＢｕ分類型部材のうち作品面単色正方形型部材乃至６面同色立方体型部材である画素材において非磁性物質を使用する場合、その材料の一例として廃棄木材の粉末やコーヒーカス，古ゴムタイヤを分割分断した粉末等を使用し集合させて圧縮乃至接着して正方形型乃至立方体型形状にした部材が上げられる。また古着等も裁断して正方形型乃至立方体型形状にした部材は、画素数の多い，大型サイズの作品でも軽量となる。磁石廃棄部物の場合は高温等にして磁力を消失させるものとすれば固体の家庭乃至産業廃棄物は粉末にして集合させ、圧縮乃至接着して立体化すれば、それ特有の色を持ち単色乃至平均色となり磁性物質乃至非磁性物質を使用している画素材の材料として適用できる。以上から画素材の部材を前記Ｂｕ分類型部材から選択し、素材を前記Ｓｏ分類型素材から選択し、各々画素材は同部材同素材とし画素材が着脱自在な保持となるように前記Ｐａ分類型パネルから下地パネルを選択し、モザイク写真の各画素の色を数字等で変換した設計図を基にして、前記画素サイズと前記色数で前記個数分用いて作品を完成させるモザイクアート工作画は作品完成後の微少な補正乃至大幅な変更がいつでも可能になり、また現作品を崩して別作品を作製する場合には追加画素材数の低減が図れて非常に経済的であり、このため設置スペースが作品と共に増加していくことは無く、廃棄物となることを最小限に抑え、画素材として家庭乃至産業廃棄物も有効利用したモザイクアート工作画を提供できる。特に画素数と外形が同じ最大６色で表現される別作品を作製する場合、磁性素材乃至非磁性素材の６面異色立方体型部材等を画素材として使用すれば画素材の追加・交換の必要が無い完全リサイクルが可能となる。一般的にモザイクアート工作画は通常の画像と異なり、近くで見ると画像が認識しにくいが距離を離して見ると明確に認識できるというマジック的な要素もあり、一般の画像とは異なる感動をもたらす。
【発明を実施するための最良の形態】
【００２８】
以下本発明のモザイクアート工作画の実施形態を図面に基づいて説明するが、本発明は下記の実施例に制限されるものではない。
【００２９】
実施例１
まず本発明のモザイクアート工作画の設計図の作製法について説明する。一例としてモザイクアート工作画の使用色はモノクロで色数は６色の場合で説明する。図２はオリジナルパソコンソフトを用いて画素数を縦１３３, 横１００，合計１３３００画素まで低減させたモノクロの画素数低減写真である。使用色の数は２３１色である（尚この画素数低減写真も拡大を施せば画素サイズが１ミリ角以上になり、２３１色で表現した前記定義によるモザイク写真となる）。図３はこの画素数低減写真の色数分布の解析結果である。横軸において０が黒色に２５５が白色に対応している。最暗色は３で最明色は２３３である。縦軸は各色ごとの使用数である。
【００３０】
この２３１色の色範囲３〜２３３を６等分に区分する。各区分内の色数は３８色乃至３９色となる。区分１が最も暗く区分６が最も明るい。次にこの６区分に対応させるモノクロ６色の一例として０，５１,１０２,１５３，２０４，２５５の色を選ぶ。５１は暗い灰色，２０４は明るい灰色に相当する。この６色を図４に示す。区分１に属する色は全て０に対応させる、区分２に属する色は全て５１に対応させる、というように区分１から区分６に属する色は各々全て１色に対応させる。このようにして１３３００画素,２３１色を１３３００画素,６色まで低減させる。この６色の各色ごとの色数分布を図５に示す。黒色０（区分１）が使用数が最も多く白色２５５（区分６）が最も少ないこと等がわかる。こうして６色で表現したモザイク写真を図６に示す。
【００３１】
次なる作業として、この１３３００画素，６色で表したモザイク写真の画素の色の面内２次元分布において、各画素の色を１から６までの数字に、つまり色０を“１”に、色 ５１を“２”に、色 １０２を“３”に、色 １５３を“４”に、色２０４を “５”に、色２５５を “６”に対応させる。この数字の２次元分布が設計図となる。設計図の一例を図７に示す。この設計図は図６のモザイク写真の一部で、これを図８に示す。この画素数は縦３６，横２８,合計１００８画素である。図８との対応関係をわかりやすくするため、図７の白に対応する“６”は空白にしてある。
【００３２】
モノクロ２〜４色で表現したモザイク写真では各画素の色が容易に識別でき画素の色を数字で変換せずそのままでもよいが、モノクロ５色以上では色数増加と共に類似色の識別の誤りミスが格段に多くなっていくため数字で表現した設計図の方がよい。また数字のみでなく赤系統色はＲ１,Ｒ２・・・,青系統色はＢ１,Ｂ２・・・,黄系統色はＹ１,Ｙ２,・・・というように数字とアルファベットの組み合わせで表した設計図は多色になった場合識別しやすい。
【００３３】
カラーの場合は各色が３次元ベクトルで表される。黒色が（０，０，０）に、白色が（２５５，２５５，２５５）に、青色が（０，０，２５５）に、赤色が（２５５，０，０）に、黄色が（２５５，２５５，０）に、緑色が（０，２５５，０）に、桃色が（０，２５５，０）に、水色が（０，２５５，２５５）に対応している。これらの８色は一辺の長さが２５５の立方体の８個の各頂点に対応している。任意の色はこの立方体の表面乃至内部の点で表すことができる。座標は整数であり、２５６の３乗、即ち１６７７７２１６色のいずれかの色で表現される。
【００３４】
尚、前記画素材の作品面の色に使用する“平均色”とは一例として以下のように定義できる。作品面そのものがＮ色（Ｎ≧２）使用していても、距離をおいて見れば一様に見える。その色を平均色と称すことにし画素の１色とみなす。例えば画素材内で使用している各色の３次元座標をＣｉ（ｉ＝１，２・・・Ｎ）とする。各色の３次元座標にその画素材内での画素の面積に対する各色の面積の比Ｓｉ（０＜Ｓｉ≦１，ΣＳｉ＝１）を掛けて（重み付け）、全てのｉについて和をとった３次元座標ΣＳｉＣｉ（小数部切捨て）に対応する色のことである。仮にＳｋ＝１であればｋ以外のｉについてＳｉ＝０であり、画素材の色はＣｋ色の単色で表される。本発明のモザイクアート工作画は距離をおいて観賞するものであるから平均色も単色とみなす。
【００３５】
オリジナルパソコンソフトを用いて画素数を低減させたカラーの画素数低減写真において、さらに色数を低減させてカラーのモザイク写真の設計図を作製する方法は色座標が１次元から３次元に変わる以外は前記方法と同様である。
【００３６】
一例を以下に示す。カラーのモザイクアート工作画の使用色の種類と数を決め、各使用色に番号１，２，３・・・を割り当てる。この使用色の３次元座標も求めておく。次にカラーの画素数低減写真の各画素の色の３次元座標を求め、各画素において、その座標と全ての使用色の座標との距離を求め、その距離が最も短くなる使用色で各画素の色を変換する。この変換した使用色の面内２次元分布を前記番号で置換すれば設計図が出来上がる。
【００３７】
以下、前記Ｂｕ分類型部材に属する３種類の部材、作品面単色正方形型部材, ６面同色立方体型部材，６面異色立方体型部材の順に、それぞれの部材を使用した画素材の素材として前記Ｓｏ分類型素材に属する７種類の素材、磁石素材，磁性素材，非磁性素材, 作品部非磁性凹部付素材，作品部非磁性保持部非磁性素材，作品部非磁性保持部磁石素材，作品部非磁性保持部磁性素材を使用した実施例について説明する。
【００３８】
各実施例と画素材の作品部の部材，画素材の素材，画素材および下地パネルの材質と形状等の関係の一覧を図９（９−ｂ）および（９−ｃ）に示した。各実施例は２段に分かれており上段は画素材の簡略説明，下段は下地パネルの簡略説明を主として示した。詳細は各実施例を参照とする。
【００３９】
Ｂｕ分類型部材のうち作品面単色正方形型部材の画素材を使用した場合について以下に説明する。
【００４０】
実施例２
作品面単色正方形型部材としてＳｈ画素材に属する磁石素材であるマグネットシート画素材を使用した場合のモザイクアート工作画について、図６の６色モノクロモザイク写真の設計図を基に以下に説明する。
【００４１】
本実施形態としてマグネットシート画素材４の作品面は正方形型である、即ち正方形乃至正方形の角を若干丸めた形状等を指し作品面の中心（乃至重心）から作品面に垂直に立てた軸の周りに９０度回転させても回転前の形と一致する。これを“９０度回転対称性をもつ”と称すことにする。それぞれの形状を図１０（１０−ａ），（１０−ｂ）に示す。角の丸めは画素材を敷き詰めた時に発生する画素材の寸法誤差から生じるしわや盛り上がりを防止するためである。下地パネルは材質が磁性物質乃至磁石であるＦ型パネル２を使用する。
【００４２】
マグネットシート画素材４の使用色として図４に示した色と同色のマグネットシート画素材４を図５に示した個数分用意する。これを図１１に示す。マグネットシート画素材４の厚さは作品面の１辺と比較して５〜１０分の１程度と薄いため、隣接画素材間の反発力よりも下地パネルとの吸着力が十分勝る。マグネットシート画素材４をＦ型パネル２の上に設計図と対応させながら順次配列していく。これを図１２に示す。完成した作品のイメージ図を図１３（１３−ａ）に示す。
【００４３】
尚、例えば冷蔵庫の側面や扉でも磁性物質であればマグネットシート画素材４は吸着可能であるから、下地パネルの１つと見なすことができる。
【００４４】
（１３−ｂ）は（１３−ａ）を面積比で４分の１に縮小した図である。縮小した絵は距離をおいて作品を観賞した場合に相当し、１つ１つの画素材が認識しにくくなり滑らかな輪郭として認識されることがわかる。
【００４５】
使用色の数が６個でも十分に図２を再現していることがわかる。
【００４６】
作品は縦１３３，横１００ピクセルから構成されているため、厚さ０．３ミリ,３ミリ角のマグネットシート画素材４で作製すると、作品のサイズは縦３９９ミリ，横３００ミリとなり、厚さ０．８ミリ，５ミリ角のマグネットシート画素材４ならば縦６６５ミリ,横５００ミリの作品となる。
【００４７】
マグネットシート画素材４は例えば１００センチ角から自由な大きさにカットして作製できること、色も自由に付けることができ画素材として最適な素材の１つである。水をはじき、錆びないため風呂場,台所,洗面所などにも作品を飾ることができる。
【００４８】
また着脱自在であるから、配列させた画素材を作品の作製中乃至終了後いつでも補正可能であり、また色彩を設計図とは異なる色で表現したい時等大幅な変更も可能となる。さらに現作品を崩して別作品を作製する場合でも自由に画素材が交換可能である。
【００４９】
実施例３
Ｓｈ画素材に属する正方形型の鉄やＳＵＳ合金等の磁性素材を使用した実施形態としてＦ型パネル２を磁石にすれば画素材は着脱自在となる。尚、作製したい作品の使用色により画素材の作品面を同一単色で色付けする。
【００５０】
実施例４
ＳＳ画素材に属する非磁性素材の実施形態として、モザイクタイルを使用した場合のモザイクアート工作画について以下に説明する。下地パネルの材質は非磁性物質でよくＦ型パネル２を使用する。
【００５１】
本発明においては図１２に示したマグネットシート画素材４の配列と同様の方法でモザイクタイル５を配列させていく。作品完成後は図１４に示すように透明板６等で覆えば画素材を保持できる。これだけでモザイクタイル５は着脱自在となる。
【００５２】
尚、前記モザイクアート工作画を机上等水平に置く場合は透明板６は無くてもよい。
【００５３】
従来の技術と比較すると一般のモザイクタイルを使用したどの作品も下地パネルに固定されており、着脱は不可能である。また、日本のモザイクタイルの歴史は明治，大正時代に遡る。この頃には洋風の建築物が建てられ少なからずモザイクも作られていたが、下地パネルや壁等に接着固定して飾るものであった。
【００５４】
実施例５
ＳＨ画素材に属する作品部非磁性保持部非磁性素材の実施形態として作品部であるモザイクタイル５の作品面７の裏面に保持部内孔８を開けた凹型保持部９を付ける。これを図１５（１５−ａ）に示す。下地パネルの材質は非磁性物質でよく、保持部内孔８をはめ込む突起１１を設けたＴ型パネル１０を使用する。これを（１５−ｂ）に示す。
【００５５】
実施例６
Ｓｈ画素材に属する作品部非磁性凹部付素材の実施形態として前記凹型保持部９の変わりにモザイクタイル５に直接凹部なる孔を設ける。下地パネルは実施例５と同一である。
【００５６】
実施例７
作品部非磁性保持部非磁性素材の別実施形態としてモザイクタイル５の裏面に凸型保持部である図１６（１６−ａ），（１６−ｂ），（１６−ｃ）に示した形状の金具や木材等を取り付ける。ここで凸型保持部は非磁性物質でよく断面形状からそれぞれ“Ｏ型保持部１４”，“Ｉ型保持部１６”，“Ｘ型保持部１７”と称すことにする。これらの凸型保持部は短棒１２，水平平板１３,垂直平板１５等から成立しているが水平平板１３は省略可能である。
【００５７】
下地パネルも非磁性物質でよく、ゴム板や木材の板等を使用し各画素の保持位置にはこの保持部をはめ込む凹部である下地パネル内孔１８乃至溝２０を設けておく。尚、ゴム板の裏面には補強板を仮止めしておくと耐久性が増す。作品部がモザイクタイル５で保持部の形状がそれぞれＯ型保持部１４，Ｉ型保持部１６，Ｘ型保持部１７の付いた画素材を配列させる下地パネルをそれぞれＯＯ型パネル１９，ＯＩ型パネル２１，ＯＸ型パネル２２
と称し、図１７（１７−ａ），（１７−ｂ），（１７−ｃ）に示す。
【００５８】
前記凸型保持部１４，１６，１７乃至凹型保持部９の付いた、作品部がモザイクタイル５のＳＨ画素材乃至モザイクタイル５に凹部を設けたＳｈ画素材であれば、画素材は下地パネルから着脱自在であり透明板６等は不要となり作品の見栄えが増す。
【００５９】
実施例８
ＳＨ画素材である作品部非磁性保持部磁石素材の実施形態として図１８（１８−ａ）（表面側），（１８−ｂ）（裏面側）に示したようにモザイクタイル５の裏面に保持部としてマグネットシート乃至磁石板２３を貼り付ける。尚マグネットシートがゴム板状であるのに対し前記磁石板は変形不可なフェライト磁石等を指す。下地パネルとして材質が磁石乃至磁性物質であるＦ型パネル２を用いれば画素材は下地パネルから着脱自在となる。
【００６０】
尚、保持部としての磁石板２３の厚さは、隣接画素材間の磁石同士の反発力よりも下地パネルとの吸着力が十分勝る程薄いとする。厚さは作品部の重さに依存する。
【００６１】
実施例９
ＳＨ画素材である作品部非磁性保持部磁性素材の実施形態としてモザイクタイル５の裏面に保持部として磁性物質を貼り付ける。下地パネルとして材質が磁石のＦ型パネル２を使用すれば着脱自在となる。
【００６２】
実施例１０
尚、画素材の作品面が９０度回転対称性でなく、“作品面単色正三角形型部材”や“作品面単色正六角形型部材”のように“１２０度回転対称性”や“６０度回転対称性”を持つ部材を使用して作品を作製しても作品面単色正方形型部材と同等の効果が得られる。
【００６３】
本発明のモザイクタイルを作品部として使用した画素材が着脱自在であるモザイクアート工作画は、従来の下地パネルに接着固定するものと比較して作業も容易であり時間も短縮される。しかも作品完成後の微少な補正乃至大幅な変更がいつでも可能であり、また現作品を崩して別作品を作製する場合には追加画素材数の低減が図れて廃棄物となることを最小限に抑えることができる。
【００６４】
次にＢｕ分類型部材のうち、６面同色立方体型部材の画素材を使用した場合について以下に説明する。
【００６５】
６面同色立方体型部材２４とは６面全てが同一であり、図１９（１９−ａ）に示した正６面体の他、作品面が９０度回転対称性を持つ６面が同形の立体を指す。例えば（１９−ｂ）に示したように画素材同士の接触による正６面体の８個の頂点の劣化の低減のために各頂点を丸めた立体や、あるいは（１９−ｃ）に示したように作品面同士の接触による面劣化を低減するために正６面体の各面において面中心に向かって凹状に曲率のついた面を持つ立体等がこれに含まれる。尚、画素材の作品面は、そのままで自然色等特有の色が備わっている場合もあるが、作製したい作品の画素の使用色に応じて色付けをする。
【００６６】
実施例１１
実施形態として鉄やＳＵＳ合金等の磁性素材を画素材として使用した場合には下地パネルは材質が磁石のＦ型パネル２を使用することにより画素材は下地パネルから着脱自在となる。
【００６７】
実施例１２
実施形態として木材や紙等の非磁性素材を画素材として使用した場合には下地パネルの材質は非磁性物質でよくＦ型パネル２を使用し、作品完成後は画素材全体が離脱しないように透明板６等で覆えば画素材を保持できる。
【００６８】
尚、前記モザイクアート工作画を机上等水平に置く場合は実施例４同様、透明板６は無くてもよい。
【００６９】
実施例１３
作品部非磁性凹部付素材を画素材として使用した場合の実施形態として作品部内孔２５を６面同色立方体型部材２４の６面のうちの１つの面乃至６面全てに取り付ける。これをそれぞれ図２０（２０−ａ），（２０−ｂ）に示す。（２０−ａ）では作品部内孔２５の付いた面に相対する面が作品面７となる。（２０−ｂ）では全ての面が孔付き作品面となる。下地パネルの材質は非磁性物質でよく、Ｔ型パネル１０を使用すれば画素材は着脱自在となる。
【００７０】
実施例１４
作品部非磁性保持部非磁性素材を画素材として使用した場合の実施形態として６面同色立方体型部材２４の１つの面に図１６に示したものと同様に凸型保持部として、Ｏ型保持部１４，Ｉ型保持部１６，Ｘ型保持部１７を取り付ける。これ等の材質は非磁性物質でよく、それぞれ図２１（２１−ａ），（２１−ｂ），（２１−ｃ）に示す。水平平板１３は省略可能である。下地パネルの材質は非磁性物質でよく、それぞれ図１７（１７−ａ），（１７−ｂ），（１７−ｃ）と同一であるものを使用する。これにより画素材は下地パネルから着脱自在となる。
【００７１】
実施例１５
作品部非磁性保持部磁石素材を画素材として使用した場合の実施形態を以下に示す。下地パネルは材質が磁性物質のＦ型パネル２を使用する。作品部である６面同色立方体型部材２４の内部に保持部である立方体型磁石２６乃至球型磁石２７等の磁石を埋め込んだ画素材である。これをそれぞれ図２２（２２−ａ）,（２２−ｂ）に示す。
【００７２】
立方体型磁石２６乃至球型磁石２７は６面同色立方体型部材２４の内部に埋め込んであるが、画素材を下地パネルに保持する役目を果たすものであり、これも保持部と称すことにする。
【００７３】
１つの画素材のＮＳ極の向きとこれに最隣接している４つの画素材のＮＳ極の向きは逆であり、頂点で接している４つの画素材のＮＳ極の向きとは同一である方が画素材は安定する。一例として中心にある１つの画素材のＮ極が作品面側に向いておりＳ極が下地パネル側に向いているとした場合の作品面側から見た９個の画素材の磁極の配列の様子を図２３に示す。
【００７４】
尚、図２３で中心にある画素材を上下逆にして作品面側がＳ極になった場合は周囲の画素材のＮＳ極の向きも全て上下逆となる。
【００７５】
実施例１６
別実施形態として６面同色立方体型部材２４の１つの面に実施例８と同様に保持部として磁石板２３を貼り付けてもよい。この場合の磁石板２３の厚さも実施例８に示したものと同様である。保持部の磁石板２３は薄いため下地パネルの材質は磁性物質他、磁石も可能でありＦ型パネル２を使用する。
【００７６】
実施例１７
実施形態として磁石素材の画素材であれば下地パネルは材質が磁性物質のＦ型パネル２を使用すればよい。安定配置は図２３と同様な配置となる。
【００７７】
実施例１８
作品部非磁性保持部磁性素材の実施形態の一例を以下に示す。下地パネルは材質が磁石のＦ型パネル２を使用する。６面同色立方体型部材２４の１２個の辺を図２４に示したように額縁状磁性物質２８で囲む。６面はこの磁性物質より内側にあるため隣接画素材同士の直接の作品面の接触を防ぎ破損防止効果も生まれる。
【００７８】
実施例１９
別実施形態として保持部としての磁性物質は図２２に示した立方体型磁石２６乃至球状
磁石２７と同様に内部に埋め込んでもよい。下地パネルは材質が磁石のＦ型パネル２を使用する。
【００７９】
実施例２０
さらに別実施形態として実施例９と同様に６面同色立方体型部材２４の１つの面に保持部として磁性物質を貼り付ける。下地パネルは材質が磁石のＦ型パネル２を使用する。
【００８０】
次にＢｕ分類型部材のうち、６面異色立方体型部材１の画素材を使用した場合について以下に説明する。
【００８１】
６面異色立方体型部材１とは図１９（１９−ａ），（１９−ｂ），（１９−ｃ）に示した６面同色立方体型部材２４と同様に正６面体の他に作品を表現する面が９０度回転対称性を持つ６面が同形の立体を指す。相違点は６面の色は全て異なる点である。
【００８２】
実施例２１
実施形態として磁性素材を画素材として使用した場合には下地パネルは材質が磁石のＦ型パネル２を使用することにより画素材は着脱自在となる。この６面異色立方体型部材１をＦ型パネル２上に順次配列させていく作業途中図は図１に示した。
【００８３】
この場合、６面異色立方体型部材１の１面を画素の色として使用すれば1個で６色表現可能な画素材として使用することができる。つまり作品を構成する各々の画素の位置に各々画素材を任意の面を表にして配置し、次に各々画素材の位置は不変のまま回転させるだけで所定の面を画素の色として使用した最大６色から成るモザイクアート工作画を作製することができる。
【００８４】
現作品を崩して画素数と外形が同じ最大６色で表現する別作品を完成させる場合にも各画素材を回転させるだけでよく別画素材の追加や交換の必要性がない。
【００８５】
また別色の６色で作製した６面異色立方体型部材１も使用すれば、部材位置不変のまま回転するだけの機能は配置された部材によっては無くなるが、作品の画素の色数が増加し作品の解像度が向上する。６面異色立方体型部材１をｎ種類使用すれば作品を表現する色数は最大６ｎ種類で増加していく。最大６ｎ種類の色数で現作品と同形同画素数の別作品を作製する場合、追加画素数の数は６面同色立方体型部材２４を使用した場合よりも格段に減少する。
【００８６】
実施例２２
実施形態として非磁性素材を画素材として使用した場合は、下地パネルは材質が非磁性物質のＦ型パネル２を使用し、作品完成後は画素材全体が離脱しないように透明板６等で覆えば画素材を保持できる。
【００８７】
尚、前記モザイクアート工作画を机上等水平に置く場合は実施例１２と同様に透明板６は無くてもよい。
【００８８】
実施例２３
作品部非磁性凹部付素材の画素材の実施形態として作品部内孔２５を６面異色立方体型部材１の６面全てに取り付ける。これを図２５に示す。下地パネルの材質は非磁性物質でよく、Ｔ型パネル１０を使用すれば画素材は着脱自在となる。
【００８９】
実施例２４
作品部非磁性保持部磁性素材の実施形態として、実施例１８と同様に、下地パネルは材質が磁石のＦ型パネル２を使用し、６面異色立方体型部材１の１２個の辺を額縁状磁性物質２８で囲めば、これが保持部としての役割を果たす。これを図２６に示す。
【００９０】
実施例２５
別実施形態として前記保持部の磁性物質は図２２に示した磁石と同様に６面異色立方体型部材１の内部に埋め込んでもよい。下地パネルは前記と同様に材質が磁石のＦ型パネル２を使用する。
【００９１】
６面異色立方体型部材１はどの面でも作品面として使用するので、磁石素材や作品部非磁性保持部磁石素材の場合は隣接画素材の間で図２３に示したような安定した配置を取ることができず、保持が不安定となり適切でない。また作品部非磁性保持部非磁性素材の場合は６面のうち1面に保持部を設ける必要があるため外観が損なわれる。
【００９２】
尚、作品のサイズが下地パネルよりも小さい場合等に生じる作品の周囲の隙間を別サイズの大小画素材や形状も様々な画素材で埋めて装飾することは本発明のモザイクアート工作画の作製とは別工程の作業である。
【００９３】
また、各実施例における下地パネルの材質は一例として示したものに限らない。例えば画素材を下地パネルに磁力の吸着力を利用して保持した方が透明板６は無くてもよく作品の見栄えは増すが、下地パネルの材質を非磁性物質としその代わり透明板６を使用しても作品を構成する各画素材は保持される。
【００９４】
次に、廃棄物の画素材としての利用方法および設計図の使用方法について説明する。
【００９５】
実施例２６
Ｂｕ分類型部材に属する部材の内、作品面単色正方形型部材乃至６面同色立方体型部材である画素材において材質として非磁性物質を使用している場合、その材料として廃棄木材の粉末やコーヒーカス等を集合させて圧縮乃至接着して正方形型乃至立方体型形状にした材料が使用できる。木材の色は茶系統であり種類が豊富であるため画素材として十分に利用可能である。これらを使用した作品は全体が茶系統となり、また木の質感がレトロ調を引き出す。古ゴムタイヤは黒色系統の画素材を提供する。古着等も裁断して正方形型乃至立方体型形状にした部材は軽く、画素数が多くサイズの大きい作品でも軽量となる。磁石廃棄部物の場合は高温等にして磁力を消失させるものとすれば、固体の家庭乃至産業廃棄物は粉末にして集合させ圧縮乃至接着して立体化すれば、それ特有の色を持ち単色乃至平均色となり、磁性物質乃至非磁性物質を使用している画素材の材料として適用できる。
【００９６】
尚、６面異色立方体型部材として使用する場合には各６面に色を塗ればよい。
【００９７】
実施例２７
Ｂｕ分類型部材に属する３種類の部材を作品面とする画素材のいずれかを使用して作品を完成させていく際に下地パネル上に敷いた設計図の上から直に画素材を置いて配列させていけば作業効率が格段に向上する。
【００９８】
設計図の画素のサイズは作品の画素のサイズと同サイズとなるように拡大乃至縮小し、設計図の材質としては作品を構成する画素材並びに下地パネルと反発力が生じない材質でＺａ分類型材質に属する３種類の材質のいずれかから選択し、これに設計図を印刷する。
【００９９】
実施例２８
実施形態として厚さ０．３ミリ程のマグネットシート上に設計図を印刷して材質が磁石のＦ型パネル２の上に吸着させる。画素材として磁性素材の６面異色立方体型部材１を使用する。設計図は吸着されているため画素材の配列作業中動かず、その上から直接色番号に相当する６面異色立方体型部材１を順次配列させていくだけでよい。マグネットシート設計図であれば６面異色立方体型部材１の保持力（吸着力）も増加する。別作品を同一下地パネル上に作製したい時はマグネットシート上に印刷した現作品の設計図を消して、この作品の設計図を印刷し直したものを使用すればよい。
【０１００】
尚、大型の設計図の場合は幾つかに分割分断して、これと同サイズのマグネットシート上に各々の設計図を印刷し、下地パネル上の所定の位置にそれぞれ吸着させればよい。
【０１０１】
実施例２９
別実施形態として、作品部非磁性保持部非磁性素材で凸型保持部（Ｏ型保持部１４乃至Ｉ型保持部１６乃至Ｘ型保持部１７）が存在する画素材を用いて作品を完成させる場合はこの凸型保持部が貫通できるように薄紙等の材質を選び、Ｏ型パネルの上に敷き、設計図の数字を凸型保持部で貫通させながら画素材を配列させていく。
【０１０２】
実施例３０
さらに別実施形態としてＦ型パネルを使用して作品を作製する場合は直接Ｆ型パネル上に設計図を印刷したものが使用可能である。別作品を同一Ｆ型パネル上に作製したい時は現作品の設計図を消して、この作品の設計図を印刷し直したＦ型パネルを使用すればよい。
【０１０３】
実施例３１
実施形態としてモザイク写真を構成する各画素の色と位置をカメラ等を通して画像認識してそれぞれを使用色と２次元座標に置き換え、前記使用色の付いた画素材を選択して前記２次元座標に対応する下地パネルの各画素の位置に、その選択した画素材をアームロボット等を使用して下地パネル上に順次配置させるまでの作業をコンピュータで自動化させることも可能である。尚、この場合の設計図とは各画素の色を使用色で変換した時の使用色の３次元座標の面内２次元分布の電子データのことである。
【０１０４】
以上示したように、通常の画像と異なり近くで見ると画像が認識しにくいが距離を離して見ると明確に認識できるというマジック的な要素を持つモザイクアート工作画の画素材において、画素材の作品面のサイズ（画素サイズ）が１ミリ角以上,画素材の色数は通常のカラー単色の他、白,灰,黒単色系統乃至平均色も１色とみなし２色以上とし、作品部の部材としてＢａ分類型部材に属する３種類の部材のいずれかを適用し、画素材の素材としてＳｏ分類型素材に属する７種類の素材のいずれかを適用した同部材同素材の画素材に応じて、下地パネルの材質を画素材と反発力の生じない材質でＺａ分類型材質に属する３種類の材質のいずれかから選択し、その形状をＰａ分類型パネルに属する５種類のパネルのいずれかから選択して、モザイク写真の各画素の色を数字等で変換した設計図を基にして前記画素サイズと前記色数で前記個数分（作品サイズ／画素サイズ）用いて作品を完成させるモザイクアート工作画は画素材が着脱自在なため作品の作製終了後も作品の微妙な補正乃至色彩等の大幅な変更が容易に可能となること，現作品を崩してそこで使用した画素材を別作品の画素材として適用できること，また現作品が別作品として生まれ変わるため設置スペースが作品と共に増加していくことは無くなり廃棄物となることを最小限に抑えられること，さらに家庭乃至産業廃棄物を利用すればそれ特有の色を持つ画素材として生まれ変わること等の特徴を持ち、特に６面異色立方体型部材を用いて最大６色からなる作品を同一下地パネル上に現作品を崩しては新作品を作製していく場合は、画素材の追加・交換を必要としない完全リサイクル化が達成できる等、環境を考慮したエコモザイクアート工作画を提供する。さらにアート分野だけでなく事業宣伝のためのリサイクルポスターやリサイクル看板等にも適用できる。
【図面の簡単な説明】
【０１０５】
【図１】６面異色立方体型部材１をＦ型パネル２上に配列させていく途中図。
【図２】１３３００画素数，モノクロ２３１色で表現した画素数低減写真。
【図３】図２の写真の２３１色の各色の使用数を表したグラフ。
【図４】モノクロ６色の一例を示した図。
【図５】図２の写真を図４の６色で表現した時の各色の使用数を表したグラフ。
【図６】図２の写真を図５の６色で表現した時のモノクロモザイク写真。
【図７】図６の写真の各画素の色を数字に変換した設計図の一部。
【図８】図７の設計図に対応する図６の写真の一部。
【図９−ａ】画素材と下地パネルを材質，形状，機能性等から分類した一覧表。
【図９−ｂ】各実施例と画素材の作品部部材３種類，画素材の素材５種類，                  画素材および下地パネルの材質と形状等の関係の一覧表。
【図９−ｃ】各実施例と画素材の作品部部材３種類，画素材の素材２種類，                  画素材および下地パネルの材質と形状等の関係の一覧表。
【図１０−ａ】９０度回転対称性を持つマグネットシート画素材４の一例。                    正方形。
【図１０−ｂ】９０度回転対称性を持つマグネットシート画素材４の一例。                    正方形の角を丸めた形。
【図１１】図６の設計図を図４のモノクロ６色を使用してマグネットシート画素材                ４で表現する時の各色と各色の使用数。
【図１２】マグネットシート画素材４をＦ型パネル２上に配列させていく途中図。
【図１３−ａ】図６の設計図をマグネットシート画素材４で表現したモザイクアー                    ト工作画の完成イメージ図。
【図１３−ｂ】図１３−ａを４分の１に縮小した図。
【図１４】正方形型のモザイクタイル５を使用して作製した作品の完成イメージ図                と作品完成後使用する透明板６。
【図１５−ａ】モザイクタイル５と凹型保持部９を一体にした画素材の一例。
【図１５−ｂ】凹型保持部９の保持部内孔８が入る突起１１を設けたＴ型パネル                      １０の一例。
【図１６−ａ】モザイクタイル５と凸型保持部を一体にした画素材の一例。                    Ｏ型保持部１４を使用した画素材。
【図１６−ｂ】モザイクタイル５と凸型保持部を一体にした画素材の一例。                    Ｉ型保持部１６を使用した画素材。
【図１６−ｃ】モザイクタイル５と凸型保持部を一体にした画素材の一例。                    Ｘ型保持部１７を使用した画素材。
【図１７−ａ】図１６の３種類の各画素材を保持する下地パネルの一例。                    Ｏ型保持部１４をはめ込む下地パネル内孔１８を設けたＯＯ型パネ                    ル１９。
【図１７−ｂ】図１６の３種類の各画素材を保持する下地パネルの一例。                    Ｉ型保持部１６をはめ込む溝２０を設けたＯＩ型パネル２１。
【図１７−ｃ】図１６の３種類の各画素材を保持する下地パネルの一例。                    Ｘ型保持部１７をはめ込む溝２０を設けたＯＸ型パネル２２。
【図１８−ａ】モザイクタイル５と保持部であるマグネットシート乃至磁石板２３                    を一体にした画素材の一例。表面側（作品面側）。
【図１８−ｂ】モザイクタイル５と保持部であるマグネットシート乃至磁石板２３                    を一体にした画素材の一例。裏面側。
【図１９−ａ】９０度回転対称性を持つ６面同色立方体型部材２４の一例。                    正６面体。
【図１９−ｂ】９０度回転対称性を持つ６面同色立方体型部材２４の一例。                    正６面体の８個の頂点を丸めた部材。
【図１９−ｃ】９０度回転対称性を持つ６面同色立方体型部材２４の一例。                    正６面体の各６面を凹状に曲率をつけた部材。
【図２０−ａ】６面同色立方体型部材２４に作品部内孔２５を設けた画素材の一                      例。作品部内孔２５を１面のみに設けた画素材。
【図２０−ｂ】６面同色立方体型部材２４に作品部内孔２５を設けた画素材の一                      例。作品部内孔２５を６面全てに設けた画素材。
【図２１−ａ】６面同色立方体型部材２４と凸型保持部を一体にした画素材の一                      例。Ｉ型保持部１４を使用した画素材。
【図２１−ｂ】６面同色立方体型部材２４と凸型保持部を一体にした画素材の一                      例。Ｔ型保持部１６を使用した画素材。
【図２１−ｃ】６面同色立方体型部材２４と凸型保持部を一体にした画素材の一                      例。Ｘ型保持部１７を使用した画素材。
【図２２−ａ】作品部非磁性保持部磁石素材で６面同色立方体型部材２４である画                    素材の一例。立方体型磁石２６を使用した画素材。
【図２２−ｂ】作品部非磁性保持部磁石素材で６面同色立方体型部材２４である画                    素材の一例。球状磁石２７を使用した画素材。
【図２３】作品部非磁性保持部磁石素材で６面同色立方体型部材２４である画素材                の安定した配置。
【図２４】作品部非磁性保持部磁性素材で６面同色立方体型部材２４である画素材                の一例。
【図２５】作品部内孔２５を６面全てに設けた６面異色立方体型部材１である画素                材の一例。
【図２６】作品部非磁性保持部磁性素材で６面異色立方体型部材１である画素材の                一例。
【符号の説明】
【０１０６】
１  ６面異色立方体型部材
２  Ｆ型パネル
３  額縁
４  マグネットシート画素材
５  モザイクタイル
６  透明板
７  作品面
８  保持部内孔
９  凹型保持部
１０  Ｔ型パネル
１１  突起
１２  短棒
１３  水平平板
１４  Ｏ型保持部
１５  垂直平板
１６  Ｉ型保持部
１７  Ｘ型保持部
１８  下地パネル内孔
１９  ＯＯ型パネル
２０  溝
２１  ＯＩ型パネル
２２  ＯＸ型パネル
２３  マグネットシート乃至磁石板
２４  ６面同色立方体型部材
２５  作品部内孔
２６  立方体型磁石
２７  球状磁石
２８  額縁状磁性物質
【図１】
2011183810.tif 000003
【図２】
2011183810.tif 000004
【図３】
2011183810.tif 000005
【図４】
2011183810.tif 000006
【図５】
2011183810.tif 000007
【図６】
2011183810.tif 000008
【図７】
2011183810.tif 000009
【図８】
2011183810.tif 000010
【図９−ａ】
2011183810.tif 000011
【図９−ｂ】
2011183810.tif 000012
【図９−ｃ】
2011183810.tif 000013
【図１０−ａ】
2011183810.tif 000014
【図１０−ｂ】
2011183810.tif 000015
【図１１】
2011183810.tif 000016
【図１２】
2011183810.tif 000017
【図１３−ａ】
2011183810.tif 000018
【図１３−ｂ】
2011183810.tif 000019
【図１４】
2011183810.tif 000020
【図１５−ａ】
2011183810.tif 000021
【図１５−ｂ】
2011183810.tif 000022
【図１６−ａ】
2011183810.tif 000023
【図１６−ｂ】
2011183810.tif 000024
【図１６−ｃ】
2011183810.tif 000025
【図１７−ａ】
2011183810.tif 000026
【図１７−ｂ】
2011183810.tif 000027
【図１７−ｃ】
2011183810.tif 000028
【図１８−ａ】
2011183810.tif 000029
【図１８−ｂ】
2011183810.tif 000030
【図１９−ａ】
2011183810.tif 000031
【図１９−ｂ】
2011183810.tif 000032
【図１９−ｃ】
2011183810.tif 000033
【図２０−ａ】
2011183810.tif 000034
【図２０−ｂ】
2011183810.tif 000035
【図２１−ａ】
2011183810.tif 000036
【図２１−ｂ】
2011183810.tif 000037
【図２１−ｃ】
2011183810.tif 000038
【図２２−ａ】
2011183810.tif 000039
【図２２−ｂ】
2011183810.tif 000040
【図２３】
2011183810.tif 000041
【図２４】
2011183810.tif 000042
【図２５】
2011183810.tif 000043
【図２６】
2011183810.tif 000044